(57)【要約】【課題】光学性能の低下を抑制することができるレンズ鏡筒および撮像装置を提供する。【解決手段】レンズ鏡筒は、筒状部材と、レンズを保持するレンズ保持部材と、筒状部材とレンズ保持部材とが配置されている配置方向に、レンズ保持部材と一体となって移動するガイドバーと、筒状部材に固定され、ガイドバーを移動可能に支持する固定軸受と、筒状部材に配置方向に移動可能に保持されるとともに、ガイドバーを移動可能に支持する可動軸受と、を備えることを特徴とするものである。【選択図】図２
2011002787.tif 000002
【特許請求の範囲】
【請求項１】
筒状部材と、
レンズを保持するレンズ保持部材と、
前記筒状部材と前記レンズ保持部材とが配置されている配置方向に、前記レンズ保持部材と一体となって移動するガイドバーと、
前記筒状部材に固定され、前記ガイドバーを移動可能に支持する固定軸受と、
前記筒状部材に前記配置方向に移動可能に保持されるとともに、前記ガイドバーを移動可能に支持する可動軸受と、を備えることを特徴とするレンズ鏡筒。
【請求項２】
前記可動軸受と前記レンズ保持部材との距離は、前記固定軸受と前記レンズ保持部材との距離より長いことを特徴とする請求項１記載のレンズ鏡筒。
【請求項３】
前記可動軸受を前記レンズ保持部材の移動と連動して移動させる移動手段を備えることを特徴とする請求項１または２に記載のレンズ鏡筒。
【請求項４】
前記移動手段は、前記固定軸受と前記可動軸受との距離の二乗値と、前記固定軸受と前記レンズ保持部材との距離と、の積が所定値となるように、前記可動軸受を移動させることを特徴とする請求項３記載のレンズ鏡筒。
【請求項５】
筒状部材と、
レンズを保持するレンズ保持部材と、
前記筒状部材と前記レンズ保持部材とが配置されている配置方向に、前記レンズ保持部材と一体となって移動するガイドバーと、
前記筒状部材に固定され、前記ガイドバーを移動可能に支持する第１軸受および第２軸受と、を備え、
前記第２軸受は、前記レンズ保持部材の前記筒状部材からの距離が最大のときに前記レンズの傾き角が最小となるような位置と、前記レンズ保持部材の前記筒状部材からの距離が最小のときに前記レンズの傾き角が最小となるような位置と、の間に位置していることを特徴とするレンズ鏡筒。
【請求項６】
筒状部材と、
レンズを保持するレンズ保持部材と、
前記筒状部材と前記レンズ保持部材とが配置されている配置方向に、前記レンズ保持部材と一体となって移動するガイドバーと、
前記筒状部材に固定され、前記ガイドバーを移動可能に支持する第１軸受および第２軸受と、を備え、
前記第２軸受は、前記レンズ保持部材の前記筒状部材からの距離が最大のときに前記ガイドバーの撓み量が最小となる位置と、前記レンズ保持部材の前記筒状部材からの距離が最小のときに前記ガイドバーの撓み量が最小となる位置と、の間に位置していることを特徴とするレンズ鏡筒。
【請求項７】
前記ガイドバーは、前記筒状部材の径方向において外側に位置していることを特徴とする請求項１〜６のいずれか１項に記載のレンズ鏡筒。
【請求項８】
請求項１〜７のいずれか１項に記載のレンズ鏡筒と、
前記レンズ鏡筒のレンズにより結ばれた画像を撮像する撮像部と、を備えることを特徴とする撮像装置。
【発明の詳細な説明】
【技術分野】
【０００１】
本発明は、レンズ鏡筒および撮像装置に関する。
【背景技術】
【０００２】
従来、撮像装置に用いられるレンズ鏡筒として、レンズを保持するレンズ保持部材をガイドバーで支持するレンズ鏡筒が提案されている。例えば、特許文献１には、レンズ枠（レンズ保持部材）と、レンズ枠を移動可能に案内するガイド軸（ガイドバー）と、ガイド軸をその両端で支持する固定筒と、を備えるレンズ鏡筒が開示されている。
【先行技術文献】
【特許文献】
【０００３】
【特許文献１】特開平１０−１２３３９９号公報
【発明の概要】
【発明が解決しようとする課題】
【０００４】
しかしながら、上記のようにレンズ枠をガイドバーで案内する場合、レンズが大型化すると、ガイドバーの撓み等が発生し、これによりレンズ鏡筒の光学性能が低下するおそれがある。
【０００５】
本発明は、かかる事情の下になされたものであり、光学性能の低下を抑制することができるレンズ鏡筒および撮像装置を提供することを目的とする。
【課題を解決するための手段】
【０００６】
本発明に係る第１のレンズ鏡筒（１０）は、筒状部材（３０）と、レンズ（４０）を保持するレンズ保持部材（５０）と、筒状部材と前記レンズ保持部材とが配置されている配置方向に、前記レンズ保持部材と一体となって移動するガイドバー（６５）と、前記筒状部材に固定され、前記ガイドバーを移動可能に支持する固定軸受（７１）と、前記筒状部材に前記配置方向に移動可能に保持されるとともに、前記ガイドバーを移動可能に支持する可動軸受（７５）と、を備えているレンズ鏡筒である。
【０００７】
上記構成において、前記可動軸受と前記レンズ保持部材との距離は、前記固定軸受と前記レンズ保持部材との距離より長い構成とすることができる。
【０００８】
上記構成において、前記可動軸受を前記レンズ保持部材の移動と連動して移動させる移動手段（９２）を備えることとしてもよい。
【０００９】
上記構成において、前記移動手段は、前記固定軸受と前記可動軸受との距離の二乗値と、前記固定軸受と前記レンズ保持部材との距離と、の積が所定値となるように、前記可動軸受を移動させることとしてもよい。
【００１０】
本発明に係る第２のレンズ鏡筒（１０ａ）は、筒状部材（３０ａ）と、レンズ（４０）を保持するレンズ保持部材（５０）と、前記筒状部材と前記レンズ保持部材とが配置されている配置方向に、前記レンズ保持部材と一体となって移動するガイドバー（６５）と、前記筒状部材に固定され、前記ガイドバーを移動可能に支持する第１軸受（７１）および第２軸受（７８）と、を備え、前記第２軸受は、前記レンズ保持部材の前記筒状部材からの距離が最大のときに前記レンズの傾き角が最小となるような位置と、前記レンズ保持部材の前記筒状部材からの距離が最小のときに前記レンズの傾き角が最小となるような位置と、の間に位置しているレンズ鏡筒である。
【００１１】
本発明に係る第３のレンズ鏡筒（１０ａ）は、筒状部材（３０ａ）と、レンズ（４０）を保持するレンズ保持部材（５０）と、前記筒状部材と前記レンズ保持部材とが配置されている配置方向に、前記レンズ保持部材と一体となって移動するガイドバー（６５）と、前記筒状部材に固定され、前記ガイドバーを移動可能に支持する第１軸受（７１）および第２軸受（７８）と、を備え、前記第２軸受は、前記レンズ保持部材の前記筒状部材からの距離が最大のときに前記ガイドバーの撓み量が最小となる位置と、前記レンズ保持部材の前記筒状部材からの距離が最小のときに前記ガイドバーの撓み量が最小となる位置と、の間に位置しているレンズ鏡筒である。
【００１２】
上記構成において、前記ガイドバーは、前記筒状部材の径方向において外側に位置していてもよい。
【００１３】
本発明に係る撮像装置（２００）は、上記いずれかのレンズ鏡筒（１０、１０ａ）と、前記レンズ鏡筒のレンズ（４０）により結ばれた画像を撮像する撮像部（１００）と、を備える撮像装置である。
【発明の効果】
【００１４】
本発明によれば、光学性能の低下を抑制することが可能なレンズ鏡筒および撮像装置を提供することができる。
【図面の簡単な説明】
【００１５】
【図１】実施例１に係る撮像装置の概略図である。
【図２】実施例１に係るレンズ鏡筒の内部の模式的断面図である。
【図３】図３（ａ）は、実施例１に係る外側ガイドバーが固定軸受および可動軸受によって支持されている様子を示す模式図である。図３（ｂ）は、第１レンズおよび第１レンズ保持部材の自重Ｐによって外側ガイドバーが下方に傾いた様子を示す模式図である。図３（ｃ）は、外側ガイドバーが第１レンズおよび第１レンズ保持部材の自重Ｐによって撓んだ様子を示す模式図である。
【図４】実施例２に係るレンズ鏡筒の内部の模式的断面図である。
【図５】図５（ａ）は、実施例２に係る第１レンズ保持部材の繰り出し量が最大の場合におけるレンズ鏡筒の内部の模式的断面図である。図５（ｂ）は、実施例２に係る第１レンズ保持部材の繰り出し量が最小の場合におけるレンズ鏡筒の内部の模式的断面図である。
【発明を実施するための形態】
【００１６】
以下、本発明を実施するための形態を説明する。
【実施例１】
【００１７】
実施例１に係る撮像装置２００について説明する。図１は、撮像装置２００の概略図である。本実施例の撮像装置２００は、一眼レフ方式のデジタルカメラであり、カメラ本体１００と、レンズ鏡筒１０と、を備える。
【００１８】
カメラ本体１００は、レンズ鏡筒１０が有するレンズにより結ばれた画像を撮像するものであり、カメラボディ１０５と、カメラボディ１０５内に設けられた、画像入力部１１０（メインミラー１１１、撮像素子１１３等）及びファインダー部１２０（ファインダースクリーン１２１、ペンタプリズム１２２、接眼レンズ系１２３等）と、を有する。画像入力部１１０およびファインダー部１２０の構成は、公知の一眼レフ方式のデジタルカメラにおける画像入力部およびファインダー部の構成と同様であるので、これらについての詳細な説明は省略するものとする。
【００１９】
レンズ鏡筒１０は、カメラボディ１０５に対して着脱可能とされている。図２は、レンズ鏡筒１０を断面して模式的に示す図である。レンズ鏡筒１０は、固定筒３０と、第１レンズ４０および第２レンズ４５と、カム筒９０と、を備える。
【００２０】
固定筒３０は、筒状の部材から成り、カメラボディ１０５に対する着脱を可能とする着脱機構（マウント）を有している。固定筒３０の外壁の一部（図２の上側部分）には、直進溝３１が形成されている。直進溝３１は、固定筒３０と第１レンズ保持部材５０とが配置されている方向（以下、配置方向（図２参照）と称する）に延びている。この直進溝３１には、可動軸受７５が設けられている。可動軸受７５には、キー７６が例えばビスにより固定されている。このキー７６により、可動軸受７５は直進溝３１から外れることなく、配置方向にスライド移動することが可能となっている。可動軸受７５には、配置方向に貫通する貫通孔１７５が形成されており、また、可動軸受７５の一部（図２の紙面上側部分）には、カムフォロワ８５が設けられている。
【００２１】
固定筒３０の、配置方向に関してカメラボディ１０５とは反対側の端部には、リング状の第１の軸受部材７０が固定されている。第１の軸受部材７０は、例えばビス等によって固定筒３０に固定されている。固定筒３０と第１の軸受部材７０との間には、２本の内側ガイドバー６０、６２が架設されている。
【００２２】
第１の軸受部材７０の一部（図２の紙面上側部分）には、凸部７１が設けられ、当該凸部７１には、配置方向に貫通する貫通孔１７１が形成されている。また、第１の軸受部材７０の貫通孔１７１と上下対称な位置には、Ｕ字状の溝（Ｕ溝）７２が形成されている。このＵ溝７２に対し、配置方向に関して対向する位置には、第２の軸受部材７７が設けられている。この第２の軸受部材７７は、固定筒３０の外壁の一部（図２の下側部分）に対して、ビス等により固定されている。第２の軸受部材７７には、配置方向に貫通する断面楕円形（図２の紙面上下方向を長軸とする楕円形）の貫通孔１７７が形成されている。
【００２３】
第１レンズ４０は、配置方向に関し、固定筒３０のカメラボディ１０５とは反対側に配置されている。第１レンズ４０は、略リング状の第１レンズ保持部材５０により保持されている。第１レンズ保持部材５０の一部（図２の紙面上側部分）には、カムフォロワ８０が設けられている。ここで、第１レンズ保持部材５０と可動軸受７５との配置方向に沿った距離は、第１レンズ保持部材５０と固定軸受７１との配置方向に沿った距離よりも長く設定されている。すなわち、可動軸受７５は、固定軸受７１よりも第１レンズ保持部材５０から遠い側に配置されている。第１レンズ保持部材５０は、配置方向に延びる２本の外側ガイドバー６５、６７をその一端部にて支持している。これらのうち一方の外側ガイドバー６５は、可動軸受７５の貫通孔１７５と、第１の軸受部材７０の貫通孔１７１に挿通した状態となっている。また、他方の外側ガイドバー６７は、第１の軸受部材７０のＵ溝７２と係合し、貫通孔１７７に挿通した状態となっている。ここで、貫通孔１７１の内周面と外側ガイドバー６５の周面との間には、軸受隙間が設けられている。また、可動軸受７５の内周面と外側ガイドバー６５の周面との間には、軸受隙間が設けられている。これらの軸受隙間によって、外側ガイドバー６５は第１の軸受部材７０および可動軸受７５に対して、配置方向に移動することができるようになっている。一方、外側ガイドバー６７は、楕円形の貫通孔１７７に挿通し、かつＵ溝７２と係合しているので、配置方向への移動が可能であるとともに、第１レンズ保持部材５０の配置方向回りの回転を規制している。なお、以下においては、第１の軸受部材７０の凸部７１を、「固定軸受７１」と呼ぶものとする。
【００２４】
第２レンズ４５は、第１レンズ４０よりも径が小さいレンズであり、固定筒３０の内側（内部空間）に配置されている。第２レンズ４５の光軸は、第１レンズ４０の光軸と一致し、かつ配置方向と一致するように設計されている。第２レンズ４５は、略リング状の第２レンズ保持部材５５により保持されている。第２レンズ保持部材５５は、第２レンズ４５の一側（図２の紙面上側）に設けられた２つの貫通孔５７，５８と、他側（図２の紙面下側）に設けられたＵ溝５６とを有する。貫通孔５７，５８には、内側ガイドバー６０が挿通し、Ｕ溝５６には、内側ガイドバー６２が係合している。これにより、第２レンズ保持部材５５は、内側ガイドバー６０、６２に沿って配置方向に摺動可能とされ、かつ、Ｕ溝５６と内側ガイドバー６２の作用により、配置方向回りの回転が規制されている。
【００２５】
カム筒９０は、固定筒３０の周囲を取り囲むように配置されている。カム筒９０は、カム筒９０よりも更に外側に位置するズームリング（不図示）が撮影者等により回転された場合に、これに連動して配置方向回りに回転するものである。カム筒９０には、第１カム溝９１および第２カム溝９２が形成されている。第１カム溝９１には、第１レンズ保持部材５０に固定されたカムフォロワ８０が、係合し、第２カム溝９２には、可動軸受７５に固定されたカムフォロワ８５が係合している。このため、カム筒９０が配置方向回りに回転すると、カムフォロワ８０は、第１カム溝９１に沿って移動しようとするが、第１レンズ保持部材５０の移動方向は、外側ガイドバー６５，６７により配置方向にのみ規制されているので、第１レンズ保持部材５０は、回転することなく配置方向にのみ移動する。同様に、可動軸受７５も、直進溝３１によって移動方向が配置方向にのみ規制されているので、カム筒９０の回転量に応じて、配置方向にのみ移動する。
【００２６】
この場合、第１レンズ保持部材５０（カムフォロワ８０）は、第１カム溝９１のカムプロファイル（溝の形成角度）に応じた量だけ、配置方向に移動し、可動軸受７５（第２カムフォロワ８５）は、第２カム溝９２のカムプロファイル（溝の形成角度）に応じた量だけ、配置方向に移動する。
【００２７】
なお、第２レンズ保持部材５５も、第１レンズ保持部材５０と同様、撮影者等によるズームリングの操作に連動して配置方向に移動するが、この点についての図示及び説明は省略するものとする。
【００２８】
以上のように構成されるレンズ鏡筒１０では、撮影者等がズームリングを回転すると、その回転量に応じてカム筒９０が回転する。そして、カム筒９０の回転に応じて、カムフォロワ８０と第１カム溝９１の作用により、第１レンズ保持部材５０が配置方向に所定量だけ移動する。このとき、第１レンズ保持部材５０に固定された外側ガイドバー６５が挿通している可動軸受７５も、カムフォロワ８５と第２カム溝９２の作用により、配置方向に第１レンズ保持部材５０とは異なる量だけ、移動するようになっている。
【００２９】
次に、第１レンズ保持部材５０の移動量と、可動軸受７５の移動量の詳細について、図３に基づいて説明する。
【００３０】
ここで、外側ガイドバー６５は、第１レンズ保持部材５０の固定軸受７１（貫通孔１７１）からの距離（以下、「レンズ繰り出し量」と称する）に応じて、撓むおそれがある。この撓み量は、第１レンズ４０が重量化するほど大きくなることが予想される。このように外側ガイドバー６５に撓みが生じると、第１レンズ４０の光軸が傾き、レンズ鏡筒１０自体の光学性能が低下するおそれがある。
【００３１】
また、レンズ鏡筒１０の光学性能の低下は、固定軸受７１の貫通孔１７１と外側ガイドバー６５との間の隙間（軸受隙間）と、可動軸受７５の貫通孔１７５と外側ガイドバー６５との間の隙間（軸受隙間）によっても、生じるおそれがある。具体的には、図３（ａ）の模式図に示すように、外側ガイドバー６５の軸中心が貫通孔１７１の中心および貫通孔１７５の中心に位置しているときと比較して、図３（ｂ）に示すように第１レンズ４０および第１レンズ保持部材５０の自重Ｐによって外側ガイドバー６５が下方に傾くことで、第１レンズ４０の光軸が傾き、その結果、レンズ鏡筒１０の光学性能が低下するおそれがある。
【００３２】
そこで、外側ガイドバー６５の撓みおよび軸受隙間による光学性能の低下を抑制するために、本実施例に係るレンズ鏡筒１０では、レンズの繰り出し量に応じて可動軸受７５を移動させることにより、第１レンズ保持部材５０、固定軸受７１、及び可動軸受７５が、常に、所定の関係を満たすようにしている。以下、所定の関係について説明する。
【００３３】
図３（ｃ）は、外側ガイドバー６５が第１レンズ４０および第１レンズ保持部材５０の自重Ｐによって撓んだ様子を示す模式図である。固定軸受７１（図３（ａ）等の紙面左側端部）と貫通孔１７５（図３（ａ）の紙面右側端部）との距離をＤｊとし、貫通孔１７１と自重Ｐの作用点との距離（配置方向に関する距離）をＬｂとする。なお、Ｌｂは、第１レンズ保持部材５０の繰り出し量に比例する。このとき、軸受隙間に起因して生じた外側ガイドバー６５の自重Ｐの作用点（以下、単に作用点と称する）における変位量である隙間変位量Ｗ△は、外側ガイドバー６５を突出梁とみなすと、下記式（１）にて表すことができる。また、軸受隙間に起因して生じた外側ガイドバー６５の傾きの角度である隙間角度θ△（図３（ｂ）参照）は、外側ガイドバー６５を突出梁とみなすと、下記式（２）にて表すことができる。なお、式（１），（２）のΔ1，Δ2は、図３（ａ）に示すように、外側ガイドバー６５が貫通孔１７１，１７５の中心に位置するときの、可動軸受７５における軸受隙間及び固定軸受７１における軸受隙間を意味する。
Ｗ△＝（（△１+△２）／Ｄｊ）×Ｌｂ    …（１）
θ△＝（△１+△２）／Ｄｊ            …（２）
【００３４】
ところで、自重Ｐによって外側ガイドバー６５が撓んだときにおける外側ガイドバー６５の撓み角の最大値である最大撓み角θｓは、材料力学の観点から下記式（３）で表される。また、自重Ｐによって外側ガイドバー６５が撓んだときにおける外側ガイドバー６５の撓み量の最大値である最大撓み量Ｗｓ（図３（ｃ）参照）は、材料力学の観点から、下記式（４）で表される。式（３）および式（４）において、Ｅは外側ガイドバー６５のヤング率であり、Ｉは外側ガイドバー６５の断面２次モーメントである。
【００３５】
θｓ＝（（ＰＬｂ）／（６ＥＩ））×（３Ｌｂ＋２Ｄｊ）      …（３）
Ｗｓ＝（（ＰＬｂ３）／（３ＥＩ））×（１＋Ｄｊ／Ｌｂ）      …（４）
【００３６】
ここで、θ△およびθｓの和を第１レンズ４０の傾き角θｔとすれば、θｔは、下記式（５）で表される。また、Ｗ△およびＷｓの和を第１レンズ４０の撓み量Ｗｔとすれば、Ｗｔは、下記式（６）で表される。これらθｔおよびＷｔは、光学性能の低下に影響する第１レンズ４０の変位誤差を表す指標として用いることができる。
θｔ＝θ△＋θｓ
＝（△１+△２）／Ｄｊ＋（（ＰＬｂ）／（６ＥＩ））×（３Ｌｂ＋２Ｄｊ）…（５）
Ｗｔ＝Ｗ△＋Ｗｓ
＝（（△１+△２）／Ｄｊ）×Ｌｂ＋（（ＰＬｂ３）／（３ＥＩ））×（１＋Ｄｊ／Ｌｂ）
…（６）
【００３７】
また、上記式（５）、（６）をＤjで微分すると、下記式（７）、（８）が導き出される。
ｄθｔ／ｄＤｊ
＝−（△１+△２）／（Ｄｊ２）＋（ＰＬｂ）／（３ＥＩ）            …（７）
ｄＷｔ／ｄＤｊ
＝−（（△１+△２）／（Ｄｊ２））×Ｌｂ＋（ＰＬｂ２）／（３ＥＩ）    …（８）
【００３８】
ここで、θｔが小さいほど光学性能の低下は抑制され、また、Ｗｔが小さいほど、光学性能の低下は抑制される。したがって、式（７）、（８）より、ｄθｔ／ｄＤｊ＝ｄＷｔ／ｄＤｊ＝０となるような関係、すなわち、下記式（９）の関係が満たされる場合に、第１レンズ４０の傾き角（θｔ）および外側ガイドバー６５の撓み量（Ｗｔ）を最小にすることができる。
Ｄｊ２×Ｌｂ＝３（△１+△２）×ＥＩ／Ｐ・・・（９）
【００３９】
本実施例に係るレンズ鏡筒１０では、第１レンズ保持部材５０、固定軸受７１、及び可動軸受７５が、常に、上記式（９）を満たすように、可動軸受７５を移動させるべく、第２カム溝９２のカムプロファイル（溝の形成角度）を決定している。すなわち、固定軸受７１の貫通孔１７１と可動軸受７５の貫通孔１７５との距離（Ｄｊ）の二乗値と、固定軸受７１と第１レンズ保持部材５０との距離（Ｌｂ）との積が所定値（３（△１+△２）×ＥＩ／Ｐ）となるように、第２カム溝９２をカム筒９０に形成している。これにより、第１レンズ４０の傾き角および外側ガイドバー６５の撓み量を最小限に抑制することが可能となっている。
【００４０】
以上説明したように、本実施例のレンズ鏡筒１０によると、固定筒３０に固定された固定軸受７１と、固定筒３０に配置方向に移動可能に保持された可動軸受７５を有しており、これら固定軸受７１と可動軸受７５が、第１レンズ保持部材５０と一体となって移動する外側ガイドバー６５を移動可能に支持している。したがって、第１レンズ保持部材５０の位置など、種々の条件に応じて可動軸受７５を移動させることで、第１レンズ保持部材５０の傾きを抑制し、光学性能の低下を抑制することができる。また、本実施例の撮像装置２００は、上述したような光学性能の低下が抑制されたレンズ鏡筒１０を備えているので、高精度な撮像を実現可能である。
【００４１】
また、本実施例に係るレンズ鏡筒１０によれば、外側ガイドバー６５、６７によって第１レンズ保持部材５０が支持されている。ここで、仮に、レンズ鏡筒１０が外側ガイドバーを有していない場合には、第１レンズ保持部材５０を内側ガイドバー６０、６２で支持する必要がでてくる。このような場合、固定筒３０の外形寸法を大きくしなければならなくなり、結果的に、レンズ鏡筒１０全体が大型化するおそれがある。これに対して、本実施例に係るレンズ鏡筒１０によれば、外側ガイドバー６５、６７によって第１レンズ保持部材５０が支持されているので、固定筒３０を大型化せずに、第１レンズ保持部材５０を支持することができ、ひいては、レンズ鏡筒１０の大型化を抑制することができることとなる。
【００４２】
また、レンズ鏡筒１０の第２カム溝９２によって可動軸受７５が第１レンズ保持部材５０の移動と連動して移動するので、特別な制御を行うことなく、第１レンズ保持部材５０の繰り出し量（Ｌｂ）に連動させて可動軸受７５と固定軸受７１との距離を変動させることができる。
【００４３】
また、本実施例では、第２カム溝９２によって、固定軸受７１と可動軸受７５との距離の二乗値と、固定軸受７１と第１レンズ保持部材５０との距離と、の積が上記式（９）となるように、可動軸受７５を移動するので、第１レンズ４０の傾き角および外側ガイドバー６５の撓み量の両方を最小限に抑制することができる。
【００４４】
なお、上記実施例１では、可動軸受７５と第１レンズ保持部材５０との距離を、固定軸受７１と第１レンズ保持部材５０との距離よりも長く設定した場合について説明したが、これに限られるものではない。例えば、可動軸受７５と第１レンズ保持部材５０との距離は、固定軸受７１と第１レンズ保持部材５０との距離よりも短くてもよい。この場合、図２における固定軸受７１の位置に可動軸受を設け、可動軸受７５の位置に固定軸受を設ければ良い。この構成においても、固定軸受と可動軸受との距離が式（９）を満たすことによって、光学性能の低下を抑制することができる。ただし、上記実施例１のように可動軸受７５と第１レンズ保持部材５０の距離を固定軸受７１と第１レンズ保持部材５０の距離よりも長く設定する方が、第１カム溝９１と第２カム溝９２とを離して形成できるので、レンズ鏡筒１０の製造は容易となる。
【００４５】
なお、上記実施例では、第２カム溝９２とカムフォロワ８５の作用を利用して、可動軸受７５を配置方向に移動する場合について説明したが、これに限られるものではない。例えば、モータ等の駆動機構を用いて、可動軸受７５を上記式（９）に基づいて移動することとしても良い。
【実施例２】
【００４６】
以下、実施例２に係る撮像装置について説明する。本実施例の撮像装置は、上記実施例１のレンズ鏡筒１０に代えて、図４に示すように、レンズ鏡筒１０ａを備えている。レンズ鏡筒１０ａは、レンズ鏡筒１０の固定筒３０に代えて固定筒３０ａを備え、カム筒９０に代えてカム筒９０ａを備え、かつ、可動軸受７５に代えて固定軸受７８を備えている。
【００４７】
固定筒３０ａには、上記実施例１の固定筒３０に形成されていた直進溝３１が形成されておらず、また、カム筒９０ａには、上記実施例１のカム筒９０に形成されていた第２カム溝９２が形成されていない。
【００４８】
また、固定軸受７８は、上記実施例１の可動軸受７５と異なり、固定筒３０に固定されている。このため、固定軸受７８は、キーやカムフォロワを有していない。また、固定軸受７８は、固定軸受７１に対する位置が、所定の位置になるように、固定筒３０に固定されている。
【００４９】
以下、固定軸受７８が固定される位置の詳細について図５に基づいて説明する。
【００５０】
図５（ａ）、図５（ｂ）は、第１レンズ保持部材５０の繰り出し量が最大の場合、最小の場合におけるレンズ鏡筒１０ａの模式図である。図５（ａ）において符合７８ａで示す位置は、上記実施例１の可動軸受を上記式（９）を満たすように移動したときに、最もカメラボディ１０５から離れた位置（第１位置）である。この第１位置は、第１レンズ保持部材５０の繰り出し量（Ｌｂ）が最大になったときの可動軸受の位置であるともいえる。また、図５（ｂ）において、符合７８ｂで示す位置は、上記実施例１の可動軸受を上記式（９）を満たすように移動したときに、最もカメラボディ１０５に近づいた位置（第２位置）である。この第２位置は、第１レンズ保持部材５０の繰り出し量（Ｌｂ）が最小になったときの可動軸受の位置であるともいえる。
【００５１】
本実施例においては、固定軸受７８を、上記第１位置と第２位置との間（距離Ｄｂの間）で、かつ第１位置及び第２位置から距離Ｄｂ／２の位置に固定筒３０ａに固定する。この場合、固定軸受７８は、第１レンズ保持部材５０の繰り出し量（Ｌｂ）が最大のときに第１レンズ４０の傾き角が最小となる第１位置と、第１レンズ保持部材５０の繰り出し量が最小のときに第１レンズ４０の傾き角が最小となる第２位置と、の間に位置している。また、固定軸受７８は、同様に、第１レンズ保持部材５０の繰り出し量が最大のときに第１レンズ４０の撓み量が最小となる第１位置と、第１レンズ保持部材５０の繰り出し量が最小のときに第１レンズ４０の撓み量が最小となる第２位置と、の間に位置している。これにより、固定軸受７８が第１位置と第２位置との間に位置していない場合と比較して、第１レンズ４０の傾き角および外側ガイドバー６５の撓み量を小さくすることができる。
【００５２】
以上説明したように、本実施例によれば、固定軸受７８が、第１レンズ保持部材５０の繰り出し量（Ｌｂ）が最大のときに第１レンズ４０の傾き角及び外側ガイドバー６５の撓み量が最小となる第１位置と、第１レンズ保持部材５０の繰り出し量が最小のときに第１レンズ４０の傾き角及び外側ガイドバー６５の撓み量が最小となる第２位置と、の間に位置しているので、特別な制御等を行うことなく、第１レンズ４０の傾きや、外側ガイドバー６５の撓みを抑制することができる。これにより、レンズ鏡筒１０ａの光学性能の低下を抑制することができ、ひいては、撮像装置２００において高精度な撮像を実現することができる。
【００５３】
なお、上記実施例２では、第１位置及び第２位置から距離Ｄｂ／２の位置に、固定軸受７８を固定する場合について説明したが、これに限らず、固定軸受７８は、第１位置と第２位置との間に固定されていれば、その位置は問わない。
【００５４】
なお、上記実施例２では、第１、第２位置として、第１レンズ４０の傾き角及び外側ガイドバー６５の撓み量が最小となる位置を用いることとしたが、これに限らず、第１レンズ４０の傾き角及び外側ガイドバー６５の撓み量の一方が最小となる位置を、第１、第２位置として用いることとしても良い。
【００５５】
以上本発明の好ましい実施形態について詳述したが、本発明はかかる特定の実施形態に限定されるものではなく、特許請求の範囲に記載された本発明の要旨の範囲内において、種々の変形・変更が可能である。なお、実施例１および実施例２に係る撮像装置は、一眼レフ方式のデジタルカメラに限られるものではなく、コンパクトタイプのデジタルカメラであってもよい。また、レンズ鏡筒は、カメラ本体に対して着脱可能であっても良いし、着脱可能でなくても良い。
【符号の説明】
【００５６】
１０  レンズ鏡筒
３０  固定筒
４０  第１レンズ
５０  第１レンズ保持部材
６５  外側ガイドバー
６７  外側ガイドバー
７１  固定軸受
７５  可動軸受
７８  固定軸受
８０  第１カムフォロワ
８５  第２カムフォロワ
１００  カメラ本体
２００  撮像装置
【図１】
2011002787.tif 000003
【図２】
2011002787.tif 000004
【図３】
2011002787.tif 000005
【図４】
2011002787.tif 000006
【図５】
2011002787.tif 000007